(57)【特許請求の範囲】
【請求項１】
敷設された多心光ファイバの心線の一端に光源を接続して他端に光パワーメータを接続し、これら光源と光パワーメータの測定条件を合わせて前記多心光ファイバの各心線の光損失を測定するのにあたり、
前記多心光ファイバの心線の一本を情報伝送用として用い、他の心線の光損失測定に必要な測定条件および測定結果を含む各種測定情報の授受を行うように構成された光損失測定装置であって、
一方をマスタとして他方をスレーブとする２台の光損失測定装置のそれぞれに測定条件が共通する光源と光パワーメータが設けられ、
前記マスタの光源は前記情報伝送用心線の一端に接続されて光パワーメータは光損失測定対象となる他の心線の一端に接続され、
前記スレーブの光パワーメータは前記情報伝送用心線の他端に接続されて光源は光損失測定対象となる他の心線の他端に接続されることを特徴とする光損失測定装置。
【請求項２】
前記各光損失測定装置には、前記情報伝送用心線を介してマスタとスレーブ間で授受される各種測定情報を表示する表示装置が設けられていることを特徴とする請求項１記載の光損失測定装置。
【発明の詳細な説明】
【技術分野】
【０００１】
本発明は、光損失測定装置に関し、詳しくは、多心光ファイバの敷設工事における光ファイバの敷設が正確に行われたことを確認する作業の効率化に有効な装置に関するものである。
【０００２】
光ファイバの敷設工事では、光ファイバの敷設が正確に行われたか否かを確認するために、図６に示すように、敷設された光ファイバ１の一端に光出力パワーが既知の光源２を接続して他端に光パワーメータ（ＯＰＭ）３を接続し、光パワーメータ３の測定値が損失を許容する一定以内のレベルにあるか否かを判断することが行われている。
【０００３】
また、測定にあたっては、光源２の出力波長を切り替えることにより、複数の波長について測定することも行われている。
【０００４】
一般に光ファイバケーブル１としては、複数の心線よりなる多心光ファイバを用いることが多い。したがって、このような光ファイバケーブルの敷設工事にあたっては、一度に測定する心線数が１００本、２００本と非常に多くなり、効率よく測定することが求められる。
【０００５】
ところで、敷設する光ファイバケーブルの長さに着目すると、数1００ｍから数1００Ｋｍ超と長短さまざまであるが、大半の敷設確認作業はそれぞれ光損失測定装置を携帯した作業者が光源側と光パワーメータ側に別れて行うことになる。この場合、光源側と光パワーメータ側とで、光出力パワーや出力波長などの測定条件を一致させておく必要がある。
【０００６】
ある種の光損失測定装置では、同じ種類の測定装置を使用する場合には、光源側から光パワーメータ側に次に測定する波長を自動的に設定できるように構成されていて、光源・光パワーメータ間における測定条件についての作業者相互間の連絡を取り合わなくてもよいようにしている。
【０００７】
このような光損失測定装置を用いることで測定条件を一致させるための作業者相互間の連絡は不要にできるが、光ファイバケーブルの多数ある心線の中から次にどの心線を測定するべきかについては、光源側と光パワーメータ側光源側の作業者相互間が連絡を取り合わなければならない。
【０００８】
現状では、一般に携帯電話を使用し、次にどの心線を測定するのかを伝達しあっているが、作業現場によっては、マンホールの中などのように携帯電話の電波が届かない場所もある。
【０００９】
特許文献１には、多心光ファイバの各心線の入力側における整列順と出力側における整列順との一致の確認を短時間に簡単かつ正確に測定する方法および装置について記載されている。
【先行技術文献】
【特許文献】
【００１０】
【特許文献１】特開２０００−２４９６２４号公報
【発明の概要】
【発明が解決しようとする課題】
【００１１】
本発明は、このような問題点を解決するものであり、その目的は、多心光ファイバのどの心線を測定するのかについての光源側と光パワーメータ側光源側の作業者相互間の連絡を最小限にして、多心光ファイバの敷設確認作業を効率よく行える光損失測定装置を実現することにある。
【課題を解決するための手段】
【００１２】
上記目的を達成するために、本発明のうち請求項１に記載の発明は、
敷設された多心光ファイバの心線の一端に光源を接続して他端に光パワーメータを接続し、これら光源と光パワーメータの測定条件を合わせて前記多心光ファイバの各心線の光損失を測定するのにあたり、
前記多心光ファイバの心線の一本を情報伝送用として用い、他の心線の光損失測定に必要な測定条件および測定結果を含む各種測定情報の授受を行うように構成された光損失測定装置であって、
一方をマスタとして他方をスレーブとする２台の光損失測定装置のそれぞれに測定条件が共通する光源と光パワーメータが設けられ、
前記マスタの光源は前記情報伝送用心線の一端に接続されて光パワーメータは光損失測定対象となる他の心線の一端に接続され、
前記スレーブの光パワーメータは前記情報伝送用心線の他端に接続されて光源は光損失測定対象となる他の心線の他端に接続されることを特徴とする。
【００１４】
請求項２に記載の発明は、
請求項１記載の光損失測定装置において、
前記各光損失測定装置には、前記情報伝送用心線を介してマスタとスレーブ間で授受される各種測定情報を表示する表示装置が設けられていることを特徴とする。
【発明の効果】
【００１５】
本発明によれば、多心光ファイバの敷設確認作業を効率よく行える。
【図面の簡単な説明】
【００１６】
【図１】本発明で用いる光損失測定装置の一実施例を示すブロック図である。
【図２】本発明に基づく多心光ファイバの光損失測定方法の概念説明図である。
【図３】図２の動作の流れを説明する動作遷移説明図である。
【図４】マスタ側の光損失測定装置における表示画面例図である。
【図５】スレーブ側の光損失測定装置における表示画面例図である。
【図６】従来の多心光ファイバの光損失測定方法の概念構成図である。
【発明を実施するための最良の形態】
【００１７】
以下、図面を参照して、本発明を詳細に説明する。図１は、本発明の一実施例を示すブロック図である。図１に示すように、本発明に係る光損失測定装置１０は、従来と同様な出力波長を選択できるたとえばレーザーダイオードの光源１１と光パワーメータ１２を備えている。
【００１８】
光パワーメータ１２のアナログ出力信号は、Ａ／Ｄ変換器１３に入力されてデジタル信号に変換される。Ａ／Ｄ変換器１３から変換出力されるデジタル信号は、ＣＰＵ１４に接続されたメモリ１５に格納される。
【００１９】
ＣＰＵ１４には、メモリ１５の他に光源１１も接続されるとともに、測定データを格納するストレージ装置１６、測定結果や測定条件などを表示する表示装置１７、同一構成の他の光損失測定装置との間で各種情報の送受を行う通信制御部１８、ＣＰＵ１４に対して各種の命令を指示入力する操作部１９なども接続されている。
【００２０】
図２は、図１に示す本発明に基づく光損失測定装置を用いた多心光ファイバの光損失測定方法の概念説明図である。２台の光損失測定装置１０Ａと１０Ｂを用意し、一方の光損失測定装置たとえば１０Ａをマスタとして多心光ファイバ２０の一端に接続し、他方の光損失測定装置たとえば１０Ｂをスレーブとして多心光ファイバ２０の他端に接続する。
【００２１】
多心光ファイバ２０の多数ある心線のうちの一本を情報伝達用光ファイバ２０ｉとして使用し、その一端をマスタとして用いる光損失測定装置１０Ａの光源１１Ａに接続し、他端をスレーブとして用いる光損失測定装置１０Ｂの光パワーメータ１２Ｂに接続する。
【００２２】
多心光ファイバ２０の情報伝達用光ファイバ２０ｉ以外のその他の心線を測定対象として、それらの一端を１本ずつマスタとして用いる光損失測定装置１０Ａの光パワーメータ１２Ａに選択的に切り替えながら接続し、他端を光損失測定装置１０Ａから送られてくる情報に従ってスレーブとして用いる光損失測定装置１０Ｂの光源１１Ｂに選択的に切り替えながら接続する。
【００２３】
光損失測定装置１０Ａの動作を説明する。
光源１１Ａは、通信制御部１８Ａの制御および操作部１９Ａの設定操作に基づいて、スレーブとして用いる光損失測定装置１０Ｂの光パワーメータ１２Ｂに対して、
ａ）測定する心線番号
ｂ）測定条件
ｃ）測定結果
などを送信するための光による情報伝達手段として機能する。
【００２４】
光パワーメータ１２Ａは、光ファイバの敷設が正確に行われたか否かを確認するための光損失測定手段の光パワーメータとして機能する。すなわち、測定対象である多心光ファイバ２０の心線を介して伝送されるスレーブとして用いる光損失測定装置１０Ｂの光源１１Ｂの出力光のレベルを測定する。
【００２５】
光損失測定装置１０Ｂの動作を説明する。
光源１１Ｂは、光ファイバの敷設が正確に行われたか否かを確認するための光損失測定手段の光源として機能し、出力パワーが既知の出力光を測定対象である多心光ファイバ２０の心線の一端に入力する。
【００２６】
光パワーメータ１２Ｂは、通信制御部１８Ｂの制御に基づき、光による情報伝達の受信手段として機能する。すなわち、光損失測定装置１０Ａの光源１１Ａから送られてくる情報にしたがって、自動または手動で光ファイバの敷設が正確に行われたか否かを確認するための各種測定条件の設定を行う。
【００２７】
そして、次に測定すべき心線番号の情報を受け取り、表示装置１７Ｂの画面上に次に測定する光ファイバを光源１１Ｂ側に接続することを促すメッセージを表示する。
【００２８】
さらに、光損失測定装置１０Ａの測定結果を受け取り、表示装置１７Ｂの画面上に表示する。
【００２９】
図３は、図２の動作の流れを説明する動作遷移説明図である。
０）一連の動作を開始する前に、あらかじめ、マスタ側の光損失測定装置１０Ａとスレーブ側の光損失測定装置１０Ｂのユーザ（作業者）間で、情報伝達用の光ファイバ２０ｉとして多心光ファイバ２０の何番目の心線を用いるかを決めておく。
【００３０】
１）あらかじめ情報伝達用として決めておいた光ファイバを、マスタ側の光損失測定装置１０Ａでは光源１１Ａに接続し、スレーブ側の光損失測定装置１０Ｂでは光パワーメータ１２Ｂに接続する。
【００３１】
２）マスタ側の光損失測定装置１０Ａにおける表示装置１９Ａの表示画面上には、図４に示すような測定画面が表示される。マスタ側の作業者は、測定対象の光ファイバ（たとえば心線番号２３）を光パワーメータ１２Ａに接続する。そして、表示装置１９Ａの表示画面上に表示されている心線番号表から、測定対象として接続した心線番号２３を選択した後、表示画面上の「ロステスト開始」ボタンを押す。
【００３２】
３）マスタ側の光損失測定装置１０Ａは、光源１１Ａから出力される光信号を情報伝達手段として、測定心線番号および測定条件（波長、変調）などの情報をスレーブ側の光損失測定装置１０Ｂに送信する。
【００３３】
４）スレーブ側の光損失測定装置１０Ｂは、マスタ側の光源１１Ａから送信された情報を含む光信号を光パワーメータ１２Ｂで受信する。スレーブ側の光損失測定装置１０Ｂにおける表示装置１９Ｂの表示画面上には、図５に示すような測定条件を設定するための測定画面が表示される。測定画面には、作業者に対して、測定する心線番号の光ファイバを光源側に接続することを促すメッセージが表示される。
【００３４】
５）スレーブ側の作業者は、測定対象の光ファイバ（たとえば心線番号２３）を光パワーメータ１２Ｂに接続した後、表示画面上の「ロステスト開始」ボタンを押す。
６）スレーブ側の光損失測定装置１０Ｂは、光源１１Ｂから測定対象の光ファイバに対して光信号を出力する。
【００３５】
７）マスタ側の光損失測定装置１０Ａは、光パワーメータ１２Ａで測定対象の光ファイバを介して伝送された光信号を受信し、光パワーの測定を実施する。
８）マスタ側の光損失測定装置１０Ａは、光パワーの測定が完了すると、測定結果を表示装置１９Ａの表示画面上に表示する。
【００３６】
９）さらに、マスタ側の光損失測定装置１０Ａは、７），８）の測定結果情報を、光源１１Ａから出力される光信号を介してスレーブ側の光損失測定装置１０Ｂに送信する。
１０）マスタ側の光損失測定装置１０Ａは測定処理を完了し、２）の状態に戻る。
【００３７】
１１）スレーブ側の光損失測定装置１０Ｂは、マスタ側の光源１１Ａから送信された測定結果情報を含む光信号を光パワーメータ１２Ｂで受信し、測定結果を表示装置１９Ｂの表示画面上に表示する。
１２）スレーブ側の光損失測定装置１０Ｂは測定処理を完了し、マスタ側の光損失測定装置１０Ａからの情報待機状態に戻る。
【００３８】
以上説明したように、本発明によれば、多心光ファイバのどの心線を測定するのかについての光源側と光パワーメータ側光源側の作業者相互間の連絡を最小限にでき、多心光ファイバの敷設確認作業を効率よく行える光損失測定装置が実現できる。
【符号の説明】
【００３９】
１０  光損失測定装置
１１  光源
１２  光パワーメータ
１３  Ａ／Ｄ変換器
１４  ＣＰＵ
１５  メモリ
１６  ストレージ装置
１７  表示装置
１８  通信制御部
１９  操作部
【図１】
0005560647.tif 000002
【図２】
0005560647.tif 000003
【図３】
0005560647.tif 000004
【図６】
0005560647.tif 000005
【図４】
0005560647.tif 000006
【図５】
0005560647.tif 000007